(57)【特許請求の範囲】
【請求項１】
ホーム画面を表示するタッチスクリーンディスプレイと、
人物を特定するための情報を前記ホーム画面の第１の領域に表示し、当該第１の領域に表示される情報によって特定される人物が利用する通信サービスを特定するための情報のリストを前記ホーム画面の第２の領域に表示するコントローラと、
を備え、
前記コントローラは、前記第１の領域に表示される情報によって特定される人物が前記通信サービスを利用して行った事象のうち、通知すべき事象の数を通信サービス毎に前記第２の領域に表示させ、
前記コントローラは、前記第２の領域において前記通信サービスの１つを選択する操作が検出された場合に、選択されたサービスに対応する前記通知すべき事象の数が０であれば、選択されたサービスを利用するための第１の機能を起動し、選択されたサービスに対応する前記通知すべき事象の数が１以上であれば、選択されたサービスを利用するための第２の機能を起動する装置。
【請求項２】
前記コントローラは、前記第２の領域において前記通信サービスの１つを選択する操作が検出された場合に、選択されたサービスを利用するための機能を起動する請求項１に記載の装置。
【請求項３】
前記第１の機能は、前記第１の領域に表示される情報によって特定される人物と連絡をとるための機能であり、前記第２の機能は、前記通知すべき事象を確認するための機能である請求項１または２に記載の装置。
【請求項４】
前記コントローラは、前記ホーム画面上に、複数の人物をそれぞれ特定するための情報を表示する第３の領域をさらに設け、当該第３の領域において選択された人物を特定するための情報を前記第１の領域に表示させる請求項１から３のいずれか１項に記載の装置。
【請求項５】
前記コントローラは、当該第３の領域において選択された人物に応じて、前記第２の領域に表示されるリストに含まれる通信サービスの数を変更する請求項４に記載の装置。
【請求項６】
タッチスクリーンディスプレイを備える装置を制御する方法であって、
前記タッチスクリーンディスプレイにホーム画面を表示させるステップと、
人物を特定するための情報を前記ホーム画面の第１の領域に表示するステップと、
前記第１の領域に表示される情報によって特定される人物が利用する通信サービスを特定するための情報のリストを前記ホーム画面の第２の領域に表示するステップと、
前記第１の領域に表示される情報によって特定される人物が前記通信サービスを利用して行った事象のうち、通知すべき事象の数を通信サービス毎に前記第２の領域に表示するステップと、
前記第２の領域において前記通信サービスの１つを選択する操作が検出された場合に、選択されたサービスに対応する前記通知すべき事象の数が０であれば、選択されたサービスを利用するための第１の機能を起動し、選択されたサービスに対応する前記通知すべき事象の数が１以上であれば、選択されたサービスを利用するための第２の機能を起動するステップと、
を含む方法。
【請求項７】
タッチスクリーンディスプレイを備える装置に、
前記タッチスクリーンディスプレイにホーム画面を表示させるステップと、
人物を特定するための情報を前記ホーム画面の第１の領域に表示するステップと、
前記第１の領域に表示される情報によって特定される人物が利用する通信サービスを特定するための情報のリストを前記ホーム画面の第２の領域に表示するステップと、
前記第１の領域に表示される情報によって特定される人物が前記通信サービスを利用して行った事象のうち、通知すべき事象の数を通信サービス毎に前記第２の領域に表示するステップと、
前記第２の領域において前記通信サービスの１つを選択する操作が検出された場合に、選択されたサービスに対応する前記通知すべき事象の数が０であれば、選択されたサービスを利用するための第１の機能を起動し、選択されたサービスに対応する前記通知すべき事象の数が１以上であれば、選択されたサービスを利用するための第２の機能を起動するステップと、
を実行させるプログラム。
【発明の詳細な説明】
【技術分野】
【０００１】
本発明は、装置、方法、及びプログラムに関する。特に、本発明は、タッチスクリーンディスプレイを有する装置、その装置を制御する方法、及びその装置を制御するためのプログラムに関する。
【背景技術】
【０００２】
タッチスクリーンディスプレイを備える装置が知られている。タッチスクリーンディスプレイを備える装置には、例えば、スマートフォン及びタブレットが含まれる。タッチスクリーンディスプレイを備える装置は、タッチスクリーンディスプレイを介して指又はスタイラスペンのジェスチャを検出する。そして、タッチスクリーンディスプレイを備える装置は、検出したジェスチャに従って動作する。検出したジェスチャに従った動作の例は、例えば、特許文献１に記載されている。
【０００３】
タッチスクリーンディスプレイを備える装置の基本的な動作は、装置に搭載されるＡｎｄｒｏｉｄ（登録商標）、ＢｌａｃｋＢｅｒｒｙ（登録商標）  ＯＳ、ｉＯＳ、Ｗｉｎｄｏｗｓ（登録商標）  Ｐｈｏｎｅ等のＯＳ（Ｏｐｅｒａｔｉｎｇ  Ｓｙｓｔｅｍ）によって実現される。
【先行技術文献】
【特許文献】
【０００４】
【特許文献１】国際公開第２００８／０８６３０２号
【発明の概要】
【発明が解決しようとする課題】
【０００５】
タッチスクリーンディスプレイを備える装置の多くは、各種の通信サービスにアクセスするために用いられる。本発明は、利用者が通信サービスに容易にアクセスすることを可能にする装置、方法、及びプログラムを提供することを目的とする。
【課題を解決するための手段】
【０００６】
本発明に係る装置は、１つの態様において、ホーム画面を表示するタッチスクリーンディスプレイと、人物を特定するための情報を前記ホーム画面の第１の領域に表示し、当該第１の領域に表示される情報によって特定される人物が利用する通信サービスを特定するための情報のリストを前記ホーム画面の第２の領域に表示するコントローラと、を備える。
【０００７】
本発明に係る方法は、１つの態様において、タッチスクリーンディスプレイを備える装置を制御する方法であって、前記タッチスクリーンディスプレイにホーム画面を表示させるステップと、人物を特定するための情報を前記ホーム画面の第１の領域に表示するステップと、前記第１の領域に表示される情報によって特定される人物が利用する通信サービスを特定するための情報のリストを前記ホーム画面の第２の領域に表示するステップと、を含む。
【０００８】
本発明に係るプログラムは、１つの態様において、タッチスクリーンディスプレイを備える装置に、前記タッチスクリーンディスプレイにホーム画面を表示させるステップと、人物を特定するための情報を前記ホーム画面の第１の領域に表示するステップと、前記第１の領域に表示される情報によって特定される人物が利用する通信サービスを特定するための情報のリストを前記ホーム画面の第２の領域に表示するステップと、を実行させる。
【図面の簡単な説明】
【０００９】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６】図６は、コンタクトデータの一例を示す図である。
【図７】図７は、グループデータの一例を示す図である。
【図８】図８は、コンタクトウィジェットの一例を示す図である。
【図９】図９は、コンタクトウィジェットを用いて通信サービスを利用する例を示す図である。
【図１０】図１０は、詳細情報領域に表示される人物の切り替えの一例を示す図である。
【図１１】図１１は、メンバリスト領域に表示されるメンバリストのスクロールの一例を示す図である。
【図１２】図１２は、メンバリスト領域に表示されるグループの切り替えの一例を示す図である。
【図１３】図１３は、グループデータの編集操作の一例を示す図である。
【図１４】図１４は、コンタクトデータの編集操作の一例を示す図である。
【図１５】図１５は、コンタクトウィジェットの表示及び更新のための処理手順を示すフローチャートである。
【発明を実施するための形態】
【００１０】
本発明を実施するための実施形態を、図面を参照しつつ詳細に説明する。以下では、タッチスクリーンディスプレイを備える装置の一例として、スマートフォンについて説明する。
【００１１】
（実施形態）
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１２】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１３】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字及び図形等を表示する。
【００１４】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００１５】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００１６】
スマートフォン１は、タッチスクリーン２Ｂにより検出された接触及び接触が行われた位置に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１７】
タッチは、タッチスクリーン２Ｂに指が触れるジェスチャである。スマートフォン１は、タッチスクリーン２Ｂに指が接触するジェスチャをタッチとして判別する。ロングタッチとは、タッチスクリーン２Ｂに指が一定時間以上触れるジェスチャである。スマートフォン１は、タッチスクリーン２Ｂに指が一定時間以上接触するジェスチャをロングタッチとして判別する。
【００１８】
リリースは、指がタッチスクリーン２Ｂから離れるジェスチャである。スマートフォン１は、指がタッチスクリーン２Ｂから離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００１９】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００２０】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２１】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２２】
ピンチインは、複数の指が近付く方向にスワイプするジェスチャである。スマートフォン１は、複数の指が近付く方向にスワイプするジェスチャをピンチインとして判別する。ピンチアウトは、複数の指が遠ざかる方向にスワイプするジェスチャである。スマートフォン１は、複数の指が遠ざかる方向にスワイプするジェスチャをピンチアウトとして判別する。
【００２３】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００２４】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションは、ホーム画面とは異なる画面をディスプレイ２Ａに表示させる。
【００２５】
スマートフォン１は、ホーム画面にアイコンを配置することができる。図４に示すホーム画面４０には、複数のアイコン５０が配置されている。それぞれのアイコン５０は、スマートフォン１にインストールされている特定のアプリケーションと予め対応付けられている。スマートフォン１は、アイコン５０に対する特定のジェスチャ（例えば、タップ）を検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２６】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定に従って壁紙として決定される。
【００２７】
スマートフォン１は、ホーム画面の数を増減することができる。スマートフォン１は、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００２８】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００２９】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００３０】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００３１】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限られない。
【００３２】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００３３】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２及び１３と、コネクタ１４と、加速度センサ１５と、方位センサ１６と、ジャイロスコープ１７とを有する。
【００３４】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。コントローラ１０は、タッチスクリーン２Ｂと協働することによって、タッチスクリーン２Ｂ（タッチスクリーンディスプレイ２）に対する操作（ジェスチャ）を検出する。
【００３５】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００３６】
例えば、ボタン３Ａ〜３Ｃは、ホームボタン、バックボタンまたはメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００３７】
照度センサ４は、照度を検出する。例えば、照度とは、光の強さ、明るさ、輝度等である。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。
【００３８】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格として、ＬＴＥ（Ｌｏｎｇ  Ｔｅｒｍ  Ｅｖｏｌｕｔｉｏｎ）、Ｗ−ＣＤＭＡ（登録商標）、ＣＤＭＡ２０００、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）等がある。例えば、無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ等がある。通信ユニット６は、上述した通信規格の１つ又は複数をサポートしていてもよい。
【００３９】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、または、レシーバ７に代えて、スピーカをさらに有してもよい。
【００４０】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００４１】
ストレージ９に記憶されるプログラムには、フォアグランドまたはバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は記憶媒体を介してストレージ９にインストールされてもよい。
【００４２】
ストレージ９は、例えば、制御プログラム９Ａ、メールアプリケーション９Ｂ、ブラウザアプリケーション９Ｃ、コンタクトアプリケーション９Ｄ、コンタクトデータ９Ｘ、グループデータ９Ｙ、設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。設定データ９Ｚは、スマートフォン１の動作に関する各種の設定に関する情報を含む。
【００４３】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００４４】
コンタクトアプリケーション９Ｄは、コンタクトデータ９Ｘに格納される各種のコンタクト情報を管理する機能、すなわち、コンタクト情報の登録、編集、削除、及び表示等に関する機能を提供する。また、コンタクトアプリケーション９Ｄは、ホーム画面上にコンタクトウィジェットを表示する機能を提供する。ウィジェットは、アイコンと同様にホーム画面上に配置され、定期的に、又は利用者の操作に応じて、表示する内容が更新される画面である。ホーム画面上にコンタクトウィジェットを表示する機能は、制御プログラム９Ａとの協業によって実現されてもよい。
【００４５】
コンタクトデータ９Ｘは、スマートフォン１の利用者が他の人物と連絡を取る、又は他の人物の状況を知るための情報を保持する。コンタクトデータ９Ｘは、他の人物と連絡をとるための情報として、例えば、その人物の電話番号及び電子メールアドレスを保持する。また、コンタクトデータ９Ｘは、他の人物の状況を知るための情報として、例えば、ＳＮＳ（Ｓｏｃｉａｌ  Ｎｅｔｗｏｒｋ  Ｓｅｒｖｉｃｅ）等のコミュニケーションサイトでその人物が各種のメッセージを投稿する際に用いるアカウント情報を保持する。コンタクトデータ９Ｘは、いわゆるアドレス帳データに相当する。
【００４６】
図６を参照しながら、コンタクトデータ９Ｘの一例について説明する。図６に示すコンタクトデータ９Ｘは、ＩＤ、姓、名、画像、サービス名、サービスＩＤ、通知数、及び最終利用日時という項目を有する。コンタクトデータ９Ｘは、１つのＩＤと対応付けて、サービス名、サービスＩＤ、通知数、及び最終利用日時の組み合わせを複数保持することができる。
【００４７】
ＩＤの項目は、人物を識別するための識別番号を保持する。姓の項目は、人物の姓を保持する。名の項目は、人物の名を保持する。画像の項目は、人物を示す顔写真又はイラスト等のプロフィール画像を特定するための情報を保持する。
【００４８】
サービス名の項目は、人物が利用する通信サービスの種類を示す値を保持する。サービス名の項目には、例えば、電話サービスを示す「Ｐｈｏｎｅ」、電子メールサービスを示す「Ｅｍａｉｌ」、それぞれ異なる事業者によって運営されるＳＮＳを示す「Ｆ−ＳＮＳ」、「Ｔ−ＳＮＳ」、「Ｄ−ＳＮＳ」、及び「Ｍ−ＳＮＳ」等の値が設定される。サービスＩＤの項目は、対応する通信サービスにおける人物のアカウントのＩＤを保持する。
【００４９】
通知数の項目は、対応する通信サービスにおいて人物が行った事象のうち、スマートフォン１の利用者に通知すべき事象の数を保持する。例えば、対応する通信サービスが電話サービスの場合、通知数の項目には、対応する人物からスマートフォン１の利用者へ発信されたが、利用者が応答することができなかった通話の数が設定される。対応する通信サービスが電子メールサービスの場合、通知数の項目には、対応する人物からスマートフォン１の利用者へ送信された未開封の電子メールの数が設定される。
【００５０】
対応する通信サービスがＳＮＳの場合、通知数の項目には、対応する人物が投稿したが、スマートフォン１の利用者が読んでいないメッセージの数が設定される。ここでいうメッセージは、不特定多数向けのメッセージと、利用者が属するグループ向けのメッセージと、利用者宛のメッセージとを含んでよい。
【００５１】
最終利用日時の項目は、対応する通信サービスにおいて人物が行った事象のうち、スマートフォン１の利用者に関連する最後の事象が行われた日時を保持する。例えば、対応する通信サービスが電話サービスの場合、最終利用日時の項目には、対応する人物からスマートフォン１の利用者へ発信された最後の通話の発信日時が設定される。対応する通信サービスが電子メールサービスの場合、最終利用日時の項目には、対応する人物からスマートフォン１の利用者へ送信された最後のメールの送信日時が設定される。
【００５２】
対応する通信サービスがＳＮＳの場合、最終更新日時の項目には、対応する人物が投稿し最後のメッセージの投稿日時が設定される。ここでいうメッセージは、不特定多数向けのメッセージと、利用者が属するグループ向けのメッセージと、利用者宛のメッセージとを含んでよい。
【００５３】
コンタクトデータ９Ｘは、上記の情報以外に、例えば、住所、勤務先、生年月日等の各種の個人情報を含んでよい。また、コンタクトデータ９Ｘは、家の電話番号、勤務先の電話番号、携帯電話の電話番号というように、同一の種類の通信サービスに関する複数の情報を同一の人物に対応付けて保持してもよい。
【００５４】
グループデータ９Ｙは、コンタクトデータ９Ｘに登録されている人物のグループ分けに関する情報を保持する。図７を参照しながら、グループデータ９Ｙの一例について説明する。図７に示すグループデータ９Ｙは、グループ番号、グループ名、メンバ番号、及びＩＤという項目を有する。グループデータ９Ｙは、１つのグループ番号と対応付けて、メンバ番号及びＩＤの組み合わせを複数保持することができる。
【００５５】
グループ番号の項目は、グループを識別するための識別番号を保持する。グループ名の項目は、グループの名称を保持する。メンバ番号の項目は、グループに含まれるメンバの表示順序を示す番号を保持する。ＩＤの項目は、コンタクトデータ９Ｘにおけるメンバの識別番号を保持する。グループデータ９ＹのＩＤの項目の値は、コンタクトデータ９ＸのＩＤの項目の値と対応する。
【００５６】
コントローラ１０は、例えば、ＣＰＵ（Ｃｅｎｔｒａｌ  Ｐｒｏｃｅｓｓｉｎｇ  Ｕｎｉｔ）である。コントローラ１０は、通信ユニット６等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００５７】
具体的には、コントローラ１０は、ストレージ９に記憶されているデータを必要に応じて参照しつつ、ストレージ９に記憶されているプログラムに含まれる命令を実行して、ディスプレイ２Ａ及び通信ユニット６等を制御することによって各種機能を実現する。コントローラ１０は、タッチスクリーン２Ｂ、ボタン３、加速度センサ１５等の各種検出部の検出結果に応じて、制御を変更することもある。本出願において、コントローラ１０がプログラム（アプリケーションを）を起動する場合には、ストレージ９に記憶されているプログラムを新たに読み出してその処理を開始する場合と、既に読み出されているプログラムの処理を新たに開始する場合とが含まれる。本出願において、コントローラ１０がプログラムを実行する場合には、プログラムを起動する場合と、中断中のプログラムを再開する場合と、起動済のプログラムの処理を継続する場合とが含まれる。
【００５８】
コントローラ１０は、例えば、制御プログラム９Ａを実行することにより、ディスプレイ２Ａにホーム画面を表示させる。また、コントローラ１０は、コンタクトアプリケーション９Ｄを実行することにより、コンタクトウィジェットをホーム画面上に表示させる。
【００５９】
カメラ１２は、フロントフェイス１Ａに面している物体を撮影するインカメラである。カメラ１３は、バックフェイス１Ｂに面している物体を撮影するアウトカメラである。
【００６０】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト）、イヤホンマイクコネクタのような汎用的な端子であってもよい。コネクタ１４は、Ｄｏｃｋコネクタのような専用に設計された端子でもよい。コネクタ１４に接続される装置には、例えば、外部ストレージ、スピーカ、通信装置が含まれる。
【００６１】
加速度センサ１５は、スマートフォン１に働く加速度の方向及び大きさを検出する。方位センサ１６は、地磁気の向きを検出する。ジャイロスコープ１７は、スマートフォン１の回転を検出する。加速度センサ１５、方位センサ１６及びジャイロスコープ１７の検出結果は、スマートフォン１の位置及び姿勢の変化を検出するために、組み合わせて利用される。
【００６２】
なお、図５においてストレージ９が記憶することとしたプログラムの一部又は全部は、通信ユニット６による無線通信で他の装置からダウンロードされてもよい。また、図５においてストレージ９が記憶することとしたプログラムの一部又は全部は、ストレージ９に含まれる読み取り装置が読み取り可能な記憶媒体に記憶されていてもよい。また、図５においてストレージ９が記憶することとしたプログラムの一部又は全部は、コネクタ１４に接続される読み取り装置が読み取り可能なＣＤ、ＤＶＤ、又はＢｌｕ−ｒａｙ（登録商標）等の記憶媒体に記憶されていてもよい。
【００６３】
また、図５に示したスマートフォン１の構成は一例であり、本発明の要旨を損なわない範囲において適宜変更してよい。例えば、ボタン３の数と種類は図５の例に限定されない。例えば、スマートフォン１は、画面に関する操作のためのボタンとして、ボタン３Ａ〜３Ｃに代えて、テンキー配列又はＱＷＥＲＴＹ配列等のボタンを備えていてもよい。また、スマートフォン１は、画面に関する操作のために、ボタンを１つだけ備えてもよいし、ボタンを備えなくてもよい。また、図５に示した例では、スマートフォン１が２つのカメラを備えることとしたが、スマートフォン１は、１つのカメラのみを備えてもよいし、カメラを備えなくてもよい。また、図５に示した例では、スマートフォン１が位置及び姿勢を検出するために３種類のセンサを備えることとしたが、スマートフォン１は、このうちいくつかのセンサを備えなくてもよいし、位置及び姿勢を検出するための他の種類のセンサを備えてもよい。
【００６４】
図８から図１４を参照しながら、コンタクトアプリケーション９Ｄが提供する機能について説明する。コンタクトアプリケーション９Ｄが提供する機能には、ホーム画面上にコンタクトウィジェットを表示する機能と、コンタクトウィジェットを更新する機能とが含まれる。
【００６５】
図８は、コンタクトウィジェットの一例を示す図である。図８に示すように、コンタクトウィジェット６０は、コンタクトデータ９Ｘに含まれる人物に関する情報を表示する。コンタクトウィジェット６０に表示される情報には、コンタクトデータ９Ｘにおいて人物と対応付けて保持されている通信サービスに関する情報が含まれる。
【００６６】
コンタクトウィジェット６０は、アイコン５０と同様に、ホーム画面４０上に配置される。すなわち、コンタクトウィジェット６０は、スマートフォン１の電源が投入され、ホーム画面４０がディスプレイ２Ａに表示されると、アイコン５０と同様に、利用者が特に操作を行わなくてもホーム画面４０の一部として表示される。また、コンタクトウィジェット６０は、アイコン５０のタップによって起動されたアプリケーションが終了してホーム画面４０がディスプレイ２Ａに再表示されると、アイコン５０と同様に、利用者が特に操作を行わなくてもホーム画面４０の一部として表示される。
【００６７】
このように、コンタクトウィジェット６０は、ホーム画面４０の一部として表示される。このため、利用者は、容易かつ迅速にコンタクトウィジェット６０に表示される情報を参照することができる。また、利用者は、以下に説明するように、コンタクトウィジェット６０に対する操作を容易かつ迅速に行って、コンタクトウィジェット６０に表示されている人物と連絡を取り、また、その人物に関する情報を取得することができる。
【００６８】
コンタクトウィジェット６０は、メンバリスト領域６１と、詳細情報領域６２と、更新アイコン６８と、編集アイコン６９とを有する。メンバリスト領域６１は、グループデータ９Ｙに登録されているグループの１つに関する情報を表示する。具体的には、メンバリスト領域６１は、グループの名称と、メンバリストとが表示される領域である。メンバリストは、グループに含まれるメンバのプロフィール画像と、名前と、最後に利用した通信サービスの利用日又は利用時間とを所定の人数分含む。メンバリストに含まれる情報は、コンタクトデータ９Ｘから取得される。
【００６９】
詳細情報領域６２は、コンタクトデータ９Ｘに含まれる人物の中から選択された１人の人物に関する詳細な情報を表示する。詳細情報領域６２は、プロフィール画像領域６３と、名前領域６４と、アイコン領域６５とを有する。プロフィール画像領域６３及び名前領域６４は、選択された人物を特定するための情報が表示される領域である。具体的には、プロフィール画像領域６３は、選択された人物のプロフィール画像が表示される領域である。名前領域６４は、選択された人物の名前が表示される領域である。選択された人物のプロフィール画像及び名前は、コンタクトデータ９Ｘから取得される。
【００７０】
アイコン領域６５は、選択された人物と対応付けてコンタクトデータ９Ｘに登録されている通信サービスを示すアイコン６６が配列される領域である。アイコン６６は、対応する通信サービスと予め対応付けられた画像を用いて表示される。アイコン６６に対応する通信サービスと対応付けてコンタクトデータ９Ｘに設定されている通知数の値が０より大きい場合、アイコン６６には、通知数の値を示す数値アイコン６６ａが付加される。
【００７１】
選択された人物と対応付けてコンタクトデータ９Ｘに登録されている通信サービスの数が、アイコン領域６５に表示可能なアイコン６６の数よりも多い場合、図８の例に示すように、ページ切り替えアイコン６７がアイコン領域６５に表示される。ページ切り替えアイコン６７は、アイコン領域６５に表示しきれないアイコン６６があることを利用者に示す。また、スマートフォン１は、ページ切り替えアイコン６７へのタップが検出された場合、アイコン領域６５に表示しきれていなかったアイコン６６をアイコン領域６５に表示する。
【００７２】
選択された人物と対応付けてコンタクトデータ９Ｘに登録されている通信サービスは、アイコンではなく、名称等の文字列を用いて一覧表示されてもよい。また、通知数を示すのではなく、通知数が０であるか否かに応じて対応するサービスを表示する態様を変更してもよい。
【００７３】
スマートフォン１は、更新アイコン６８へのタップが検出された場合、詳細情報領域６２に表示される情報を、選択された人物に関する最新の情報に更新する。例えば、スマートフォン１は、選択された人物から受信した未開封の電子メールの件数が２件から３件に増えていれば、電子メールサービスに対応するアイコン６６に付加される数値アイコン６６ａを「２」を表すものから「３」を表すものへ変更する。スマートフォン１は、更新アイコン６８へのタップが検出されなくても、各アイコン６６に付加される数値アイコン６６ａを最新の状況に合わせて定期的に更新する。
【００７４】
スマートフォン１は、編集アイコン６９へのタップが検出された場合、メンバリストを更新するための処理を実行する。メンバリストを更新するための処理については、後で詳しく説明する。
【００７５】
このように、コンタクトウィジェット６０は、選択された人物と対応付けてコンタクトデータ９Ｘに登録されている通信サービスに対応するアイコン６６を含む。このため、利用者は、コンタクトウィジェット６０を見ることにより、選択された人物がどの通信サービスを利用しているかを容易に把握することができる。
【００７６】
さらに、アイコン６６には、アイコン６６に対応する通信サービスにおいて選択された人物が行った事象のうち、利用者に通知するべき事象の数を示す数値アイコン６６ａが付加される。このため、利用者は、コンタクトウィジェット６０を見ることにより、選択された人物に関して確認すべき事象が何件あるかを通信サービス毎に容易に把握することができる。
【００７７】
コンタクトウィジェット６０は、通信サービスを利用するためにも用いられる。図９は、コンタクトウィジェット６０を用いて通信サービスを利用する例を示す図である。図９に示すステップＳ１１では、利用者が指Ｆ１を用いてＴ−ＳＮＳというＳＮＳに対応するアイコン６６をタップしている。スマートフォン１は、アイコン６６へのタップが検出されると、タップされたアイコン６６に対応する通信サービスを利用するための機能を起動する。図９に示す例では、スマートフォン１は、ステップＳ１２として、Ｔ−ＳＮＳというＳＮＳへの投稿を閲覧するためのアプリケーションを起動する。起動されたアプリケーションは、詳細情報領域６２に表示されている人物によって投稿されたメッセージをディスプレイ２Ａに表示するための閲覧画面７０の表示処理をコントローラ１０に実行させる。
【００７８】
アイコン６６に対応する通信サービスを利用するためのジェスチャは、タップではなく、ダブルタップ、又はロングタップ等の他のジェスチャでもよい。また、図９ではＳＮＳに対応するアイコン６６がタップされた場合について説明したが、電話サービスに対応するアイコン６６及び電子メールサービスに対応するアイコン６６も通信サービスを利用するために用いられる。
【００７９】
電話サービスに対応するアイコン６６がタップされたとき、スマートフォン１は、例えば、詳細情報領域６２に表示されている人物への発信を実行する。電話サービスに対応するアイコン６６に数値アイコン６６ａが付加されている場合、スマートフォン１は、発信を実行せずに、通知すべき事象を利用者に確認させてもよい。スマートフォン１は、通知すべき事象を利用者に確認させるために、例えば、着信履歴をディスプレイ２Ａに表示するか、又は、留守電機能を起動することができる。
【００８０】
電子メールサービスに対応するアイコン６６がタップされた場合、スマートフォン１は、例えば、詳細情報領域６２に表示されている人物宛の電子メールの作成画面が表示されるように、メールアプリケーション９Ｂを起動する。電子メールサービスに対応するアイコン６６に数値アイコン６６ａが付加されている場合、スマートフォン１は、電子メールの作成画面を表示させずに、通知すべき事象を利用者に確認させてもよい。スマートフォン１は、通知すべき事象を利用者に確認させるために、例えば、電子メールの受信箱が表示されるように、メールアプリケーション９Ｂを起動することができる。
【００８１】
このように、スマートフォン１は、アイコン６６がタップされた場合、タップされたアイコン６６に対応する通信サービスを利用するための機能を起動する。さらに、スマートフォン１は、詳細情報領域６２に表示されている人物と関連する処理を実行しやすいような形で機能を起動する。このため、利用者は、詳細情報領域６２に表示されている人物との連絡、又は、その人物に関する情報の収集を容易かつ迅速に行うことができる。
【００８２】
詳細情報領域６２に表示される人物は、切り替え可能である。図１０は、詳細情報領域６２に表示される人物の切り替えの一例を示す図である。図１０に示すステップＳ２１では、利用者が指Ｆ１を用いて、メンバリスト領域６１に表示されているメンバリスト中の１人をタップしている。スマートフォン１は、メンバリスト中の１人へのタップが検出されると、タップされたメンバが詳細情報領域６２に表示されるようにコンタクトウィジェット６０を更新する。図１０に示す例では、スマートフォン１は、ステップＳ２２として、タップされたメンバである「Ｔａｒｏ  Ｓｕｚｕｋｉ」という人物の情報が詳細情報領域６２に表示されるようにコンタクトウィジェット６０を更新している。この人物は２つの通信サービスしか利用していないため、アイコン領域６５に表示されるアイコン６６の数は２個に変化している。
【００８３】
図１０に示す例では、詳細情報領域６２に表示される人物はメンバリスト領域６１に表示されないように制御されているが、詳細情報領域６２に表示される人物はメンバリスト領域６１に表示されるメンバリストに含まれてもよい。
【００８４】
このように、スマートフォン１は、ホーム画面上での操作に基づいて、詳細情報領域６２に表示される人物を切り替える。このため、利用者は、詳細情報領域６２に表示される人物の切り替えを容易かつ迅速に行うことができる。
【００８５】
また、メンバリスト領域６１に表示されるメンバリストは、スクロール可能である。図１１は、メンバリスト領域６１に表示されるメンバリストのスクロールの一例を示す図である。図１１に示すステップＳ３１では、利用者が指Ｆ１を用いて、メンバリスト領域６１で上フリックを行っている。スマートフォン１は、メンバリスト領域６１で上フリック又は下フリックが検出されると、検出されたフリックの方向に応じてメンバリスト領域６１に表示されるメンバリストをスクロールさせる。図１１に示す例では、上フリックが検出されたため、スマートフォン１は、ステップＳ３２として、メンバリストを上方向にスクロールさせている。メンバリストの上方向へのスクロールにより、同じグループに属する他のメンバがメンバリスト領域６１に表示されるようになっている。
【００８６】
また、メンバリスト領域６１に表示するグループは、切り替え可能である。図１２は、メンバリスト領域６１に表示されるグループの切り替えの一例を示す図である。図１２に示すステップＳ４１では、利用者が指Ｆ１を用いて、メンバリスト領域６１で右フリックを行っている。スマートフォン１は、メンバリスト領域６１で右フリック又は左フリックが検出されると、検出されたフリックの方向に応じてメンバリスト領域６１に表示するグループを切り替える。図１２に示す例では、右フリックが検出されたため、スマートフォン１は、ステップＳ４２として、メンバリスト領域６１に表示するグループを「友人」という名称のグループから「ビジネス」という名称のグループへ切り替えている。表示するグループの切り替えにより、他のグループに属するメンバがメンバリスト領域６１に表示されるようになっている。
【００８７】
図１１及び図１２に示す例では、メンバリスト領域６１でフリックが検出された場合にメンバリストのスクロール又はグループの切り替えを行うこととしたが、メンバリスト領域６１でスワイプが検出された場合に同様の処理を行ってよい。また、図１１及び図１２に示す例では、上下方向のフリックにメンバリストのスクロールを割り当て、左右方向のフリックにグループの切り替えを割り当てたが、ジェスチャの方向と割り当てる処理の関係は、メンバリストに含まれるメンバを配列する方向に応じて変更してよい。
【００８８】
このように、スマートフォン１は、ホーム画面上での操作に基づいて、メンバリスト領域６１に表示されるメンバリストを切り替える。このため、利用者は、任意の人物をコンタクトウィジェット６０に表示することができる。
【００８９】
また、利用者は、コンタクトデータ９Ｘ及びグループデータ９Ｙの編集機能をコンタクトウィジェット６０から起動することができる。図１３は、グループデータ９Ｙの編集操作の一例を示す図である。図１４は、コンタクトデータ９Ｘの編集操作の一例を示す図である。
【００９０】
図１３に示すステップＳ５１では、利用者が指Ｆ１を用いて、編集アイコン６９をタップしている。スマートフォン１は、編集アイコン６９へのタップが検出されると、ステップＳ５２として、グループ編集画面８０をディスプレイ２Ａに表示する。グループ編集画面８０は、ヘッダ８１と、メンバリスト領域８２と、フッタ８３とを有する。
【００９１】
ヘッダ８１は、追加ボタン８１ａを有する。スマートフォン１は、追加ボタン８１ａへのタップが検出されると、コンタクトデータ９Ｘに含まれる任意の人物を選択するための画面をディスプレイ２Ａに表示する。スマートフォン１は、その画面で人物が選択されると、選択された人物がグループ編集画面８０に表示されているグループに含まれるようにグループデータ９Ｙを更新する。ただし、同一の人物が同一のグループに重複して属することは禁止される。
【００９２】
メンバリスト領域８２では、プロフィール画像８２ａと、名前８２ｂと、人物と対応付けてコンタクトデータ９Ｘに登録されている通信サービスを示すアイコン８２ｃと、削除アイコン８２ｄとがグループに属するメンバ毎に表示される。スマートフォン１は、削除アイコン８２ｄへのタップが検出されると、タップされた削除アイコンに対応するメンバがグループ編集画面８０に表示されているグループに含まれないようにグループデータ９Ｙを更新する。また、スマートフォン１は、タップされた削除アイコン８２ｄに対応するメンバをメンバリスト領域８２から消去する。
【００９３】
フッタ８３は、現在表示されているグループの名称と、右フリックが検出された場合に表示されるグループの名称と、左フリックが検出された場合に表示されるグループの名称とを表示する。
【００９４】
スマートフォン１は、メンバリスト領域８２で上下方向へのフリック又はスワイプのジェスチャが検出されると、検出されたジェスチャの方向に応じて、メンバリスト領域８２に表示されるメンバリストをスクロールさせる。スマートフォン１は、所定の操作が検出された場合に、メンバリスト領域８２に表示されるメンバの順序を変更し、順序の変更をグループデータ９Ｙに反映させてもよい。
【００９５】
スマートフォン１は、メンバリスト領域８２でタップが検出されると、コンタクト情報編集画面９０をディスプレイ２Ａに表示する。図１４に示すステップＳ６１では、利用者が指Ｆ１を用いてメンバリスト領域８２に表示されているメンバの１人をタップしている。この場合、スマートフォン１は、ステップＳ６２として、タップされたメンバに関する情報を編集するためのコンタクト情報編集画面９０を表示する。コンタクト情報編集画面９０は、ヘッダ９１と、プロフィール領域９２と、サービスリスト領域９３とを有する。
【００９６】
プロフィール領域９２は、プロフィール画像表示項目９２ａと、姓入力項目９２ｂと、名入力項目９２ｃとを有する。プロフィール画像表示項目９２ａは、コンタクト情報編集画面９０に対応する人物のプロフィール画像を表示する。プロフィール画像表示項目９２ａへのタップが検出されると、スマートフォン１は、プロフィール画像を選択するための画面をディスプレイ２Ａに表示する。姓入力項目９２ｂは、人物の姓を入力するための欄である。名入力項目９２ｃは、人物の名を入力するための欄である。
【００９７】
サービスリスト領域９３では、サービス選択項目９３ａと、サービスＩＤ入力項目９３ｂとがサービス毎に表示される。サービス選択項目９３ａは、予め登録された通信サービスから人物が利用している通信サービスを選択するための項目である。サービスＩＤ入力項目９３ｂは、対応するサービス選択項目９３ａで選択した通信サービスにおける人物のアカウントのＩＤを入力するための欄である。サービスリスト領域９３に表示されるリストに含まれるサービスの総数は、利用者の操作に応じて増減される。
【００９８】
スマートフォン１は、コンタクト情報編集画面９０で入力された情報に基づいて、コンタクトデータ９Ｘに登録されている人物の情報を更新する。
【００９９】
図１５に示すフローチャートを参照しながら、コンタクトウィジェット６０の表示及び更新のための処理手順について説明する。図１５に示す処理手順は、コントローラ１０が、コンタクトアプリケーション９Ｄを実行することによって実現される。図１５に示す処理手順は、ホーム画面４０がディスプレイ２Ａに表示されているときに実行される。コントローラ１０は、図１５に示す処理手順と並行して、ホーム画面４０に関する制御のための他の処理手順を実行することがある。
【０１００】
コントローラ１０は、ステップＳ１０１として、タイマを初期設定する。そして、コントローラ１０は、ステップＳ１０２として、コンタクトデータ９Ｘに登録されている人物と通信サービスの組み合わせ毎に通知数を取得し、コンタクトデータ９Ｘに設定する。例えば、電話サービスの通知数は、ストレージ９又は事業者のサーバに記憶される着信履歴から取得される。電子メールサービスの通知数は、ストレージ９又は事業者のサーバに記憶される受信箱から取得される。ＳＮＳの通知数は、事業者のサーバに記憶される投稿履歴又はストレージ９に記憶される投稿履歴のキャッシュから取得される。
【０１０１】
続いて、コントローラ１０は、ステップＳ１０３として、ディスプレイ２Ａに表示されているホーム画面４０上にコンタクトウィジェット６０を表示させる。そして、コントローラ１０は、ステップＳ１０４として、メンバリストをメンバリスト領域６１に表示させる。メンバリスト領域６１に表示されるメンバリストは、例えば、メンバリスト領域６１に最後に表示されていたメンバリストである。すなわち、コントローラ１０は、切り替え操作が行われるたびに新たにメンバリスト領域６１に表示されるメンバリストをストレージ９に記憶させ、ステップＳ１０４では、ストレージ９に記憶されているメンバリストをメンバリスト領域６１に表示させてもよい。
【０１０２】
また、コントローラ１０は、ステップＳ１０５として、コンタクトデータ９Ｘに登録されている人物の中から詳細情報領域６２に表示すべき人物を選択する。表示すべき人物は、例えば、詳細情報領域６２に最後に表示されていた人物である。すなわち、コントローラ１０は、切り替え操作が行われるたびに新たに詳細情報領域６２に表示される人物をストレージ９に記憶させ、ステップＳ１０５では、ストレージ９に記憶されている人物を表示すべき人物として選択してもよい。
【０１０３】
あるいは、コントローラ１０は、利用者が最も注目すべき人物を詳細情報領域６２に表示すべき人物として選択してもよい。例えば、コントローラ１０は、コンタクトデータ９Ｘの通知数の項目に設定されている値の合計値が最も大きい人物を表示すべき人物として選択してもよい。また、コントローラ１０は、コンタクトデータ９Ｘの最終利用日時の項目に設定されている値が最も新しい人物を表示すべき人物として選択してもよい。
【０１０４】
そして、コントローラ１０は、ステップＳ１０６として、選択された人物の情報をコンタクトデータ９Ｘから取得し、取得した情報を詳細情報領域６２に表示させる。コントローラ１０は、選択された人物と対応付けてコンタクトデータ９Ｘに登録されている通信サービスの通知数が０よりも大きければ、その通信サービスに対応するアイコン６６に通知数を示す数値アイコン６６ａを付加する。
【０１０５】
続いて、コントローラ１０は、ステップＳ１０７として、コンタクトウィジェット６０に対するジェスチャがタッチスクリーン２Ｂを介して検出されたかを判定する。コンタクトウィジェット６０に対するジェスチャが検出された場合（ステップＳ１０７，Ｙｅｓ）、コントローラ１０は、ステップＳ１０８として、検出されたジェスチャに応じた処理を実行する。コントローラ１０は、例えば、検出されたジェスチャに応じて、図８から図１３のいずれかに示した処理を実行する。コンタクトウィジェット６０に対するジェスチャが検出されない場合（ステップＳ１０７，Ｎｏ）、ステップＳ１０８は実行されない。
【０１０６】
続いて、コントローラ１０は、ステップＳ１０９として、所定時間が経過したかをタイマに基づいて判定する。所定時間が経過していた場合（ステップＳ１０９，Ｙｅｓ）、コントローラ１０は、ステップＳ１１０として、タイマを再設定する。また、コントローラ１０は、ステップＳ１１１として、ステップＳ１０２と同様に、コンタクトデータ９Ｘに登録されている人物と通信サービスの組み合わせ毎に通知数を取得し、コンタクトデータ９Ｘに設定する。そして、コントローラ１０は、ステップＳ１１２として、コンタクトデータ９Ｘに設定された通知数に基づいて、アイコン６６に付加される数値アイコン６６ａを更新する。所定時間が経過していない場合（ステップＳ１０９，Ｎｏ）、ステップＳ１１０からステップＳ１１２は実行されない。
【０１０７】
続いて、コントローラ１０は、ステップＳ１１３として、処理を終了すべきかを判定する。コントローラ１０は、例えば、ホーム画面４０上からコンタクトウィジェット６０を削除するための所定の操作が行われた場合、又はスマートフォン１の電源オフ又は再起動のための所定の操作が行われた場合に、処理を終了すべきと判定する。処理を終了すべき場合（ステップＳ１１３，Ｙｅｓ）、コントローラ１０は、図１５に示す処理手順を終了する。処理を終了すべきでない場合（ステップＳ１１３，Ｎｏ）、コントローラ１０は、ステップＳ１０７以降を再実行する。
【０１０８】
本発明を完全かつ明瞭に開示するために特徴的な実施例に関し記載してきた。しかし、添付の請求項は、上記実施例に限定されるべきものでなく、本明細書に示した基礎的事項の範囲内で当該技術分野の当業者が創作しうるすべての変形例及び代替可能な構成を具現化するように構成されるべきである。
【０１０９】
例えば、図５に示した各プログラムは、複数のモジュールに分割されていてもよいし、他のプログラムと結合されていてもよい。
【０１１０】
また、上記の実施形態では、タッチスクリーンディスプレイを備える装置の一例として、スマートフォンについて説明したが、添付の請求項に係る装置は、スマートフォンに限定されない。例えば、添付の請求項に係る装置は、モバイルフォン、携帯型パソコン、デジタルカメラ、メディアプレイヤ、電子書籍リーダ、ナビゲータ、又はゲーム機等の携帯電子機器であってもよい。また、添付の請求項に係る装置は、デスクトップパソコン、テレビ受像器等の据え置き型の電子機器であってもよい。
【符号の説明】
【０１１１】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  メールアプリケーション
９Ｃ  ブラウザアプリケーション
９Ｄ  コンタクトアプリケーション
９Ｘ  コンタクトデータ
９Ｙ  グループデータ
９Ｚ  設定データ
１０  コントローラ
１２、１３  カメラ
１４  コネクタ
１５  加速度センサ
１６  方位センサ
１７  ジャイロスコープ
２０  ハウジング
６０  コンタクトウィジェット
６１  メンバリスト領域
６２  詳細情報領域
【図１】
0005805601.tif 000002
【図２】
0005805601.tif 000003
【図３】
0005805601.tif 000004
【図４】
0005805601.tif 000005
【図５】
0005805601.tif 000006
【図６】
0005805601.tif 000007
【図７】
0005805601.tif 000008
【図８】
0005805601.tif 000009
【図９】
0005805601.tif 000010
【図１０】
0005805601.tif 000011
【図１１】
0005805601.tif 000012
【図１２】
0005805601.tif 000013
【図１３】
0005805601.tif 000014
【図１４】
0005805601.tif 000015
【図１５】
0005805601.tif 000016